(57)【特許請求の範囲】
【請求項１】
光束を出射する少なくとも１つの発光点を有する光源と、
ランド部及びグループ部を有しこれらランド部及びグループ部の双方に情報信号の記録が可能な光記録媒体の信号記録面上に、上記光束を集光させて照射する対物レンズと、
上記光記録媒体の信号記録面からの反射光束を受光する光検出手段とを備え、
上記光源から出射された光束は、情報信号の記録及び／又は再生を行うための主スポットを上記光記録媒体の信号記録面上に形成する主光束と、該光記録媒体の信号記録面上において該主スポットに対して離間した位置に副スポットを形成する副光束となり、
上記副光束は、上記主光束に対して、対物レンズから集光点までの距離が異なり、上記副スポットは、上記信号記録面上に形成された記録トラックの法線方向の上記主スポットに対する距離の絶対値をＳ、トラックピッチをＰ、ｎを整数としたとき、
Ｓ≒Ｐｎ／２
が成立する位置に形成されることを特徴とする光学ピックアップ装置。
【請求項２】
副スポットは、信号記録面上に形成された記録トラックの法線方向の上記主スポットに対する距離をｓ、トラックピッチをＰとしたとき、
ｓ≒＋Ｐ／２
が成立する位置と、
ｓ≒−Ｐ／２
が成立する位置とに２つが形成されることを特徴とする請求項１記載の光学ピックアップ装置。
【請求項３】
光源は、２以上の発光点を有し、一の発光点から発せられた光束が主光束として主スポットを形成し、他の発光点から発せられた光束が副光束として副スポットを形成することを特徴とする請求項１記載の光学ピックアップ装置。
【請求項４】
光源は、１つの発光点のみを有し、この発光点から発せられた光束が、主光束として主スポットを形成するとともに、副スポット形成手段によって副光束となって副スポットをも形成することを特徴とする請求項１記載の光学ピックアップ装置。
【請求項５】
副スポット形成手段は、光回折素子であることを特徴とする請求項４記載の光学ピックアップ装置。
【請求項６】
光回折素子は、偏光ホログラム素子であることを特徴とする請求項５記載の光学ピックアップ装置。
【請求項７】
光検出手段は、主光束が光記録媒体の信号記録面により反射された光束である主反射光束を受光する主受光部と、副光束が該信号記録面により反射された光束である副反射光束を受光する副受光部とを備え、
副受光部は、それぞれが独立した光検出信号を出力する複数の受光素子から構成され、これら受光素子によって、副反射光束を分割して受光し、
上記各受光素子は、加減算されることによりトラック判別信号が生成される複数の光検出信号を出力することを特徴とする請求項１記載の光学ピックアップ装置。
【請求項８】
副受光部を構成する複数の受光素子は、記録トラックの遠視野像に直交する方向に配列されていることを特徴とする請求項７記載の光学ピックアップ装置。
【請求項９】
副スポットは、２つが形成され、
一方の副スポットを形成する一方の副光束は、主光束の集光点よりも対物レンズに近い位置に集光点を形成し、他方の副スポットを形成する他方の副光束は、主光束の集光点よりも対物レンズから遠い位置に集光点を形成することを特徴とする請求項１記載の光学ピックアップ装置。
【請求項１０】
光検出手段は、主光束が光記録媒体の信号記録面により反射された光束である主反射光束を受光する主受光部と、２本の副光束が該信号記録面により反射された光束である２本の副反射光束を受光する２個の副受光部とを備え、
各副受光部は、それぞれが独立した光検出信号を出力する複数の受光素子から構成され、これら受光素子によって、２本の副反射光束についてそれぞれ分割して受光し、
上記各光検出手段の各受光素子は、加減算されることによりトラック判別信号が生成される複数の光検出信号を出力することを特徴とする請求項９記載の光学ピックアップ装置。
【請求項１１】
各副受光部を構成する複数の受光素子は、それぞれ記録トラックの遠視野像に直交する方向に配列されていることを特徴とする請求項１０記載の光学ピックアップ装置。
【請求項１２】
ランド部及びグループ部を有しこれらランド部及びグループ部の双方に情報信号の記録が可能な光記録媒体が着脱可能に取付けられ装着された光記録媒体を回転操作する回転操作機構と、
上記回転操作機構に装着されて回転操作される光記録媒体に対して、情報信号の書き込み及び読出しを行う光学ピックアップ装置と、
上記光学ピックアップ装置からの出力信号に基づいて再生信号を生成する信号処理回路と、
上記光学ピックアップ装置からの出力信号に基づいて該光学ピックアップ装置の対物レンズの位置を制御するサーボ回路と
を備え、
上記光学ピックアップ装置は、光束を出射する少なくとも１つの発光点を有する光源と、該光束を光記録媒体の信号記録面上に集光させて照射する対物レンズと、該光記録媒体の信号記録面からの反射光束を受光して出力信号を出力する光検出手段とを備え、
上記光学ピックアップ装置おいて、上記光源から出射された光束は、情報信号の記録及び／又は再生を行うための主スポットを上記光記録媒体の信号記録面上に形成する主光束と、該光記録媒体の信号記録面上において該主スポットに対して離間した位置に副スポットを形成する副光束となり、
上記副光束は、上記主光束に対して、対物レンズから集光点までの距離が異なり、
上記副スポットは、上記信号記録面上に形成された記録トラックの法線方向の上記主スポットに対する距離の絶対値をＳ、トラックピッチをＰ、ｎを整数としたとき、
Ｓ≒Ｐｎ／２
が成立する位置に形成される
ことを特徴とする光ディスク装置。
【請求項１３】
副スポットは、信号記録面上に形成された記録トラックの法線方向の上記主スポットに対する距離をｓ、トラックピッチをＰとしたとき、
ｓ≒＋Ｐ／２
が成立する位置と、
ｓ≒−Ｐ／２
が成立する位置とに２つが形成されることを特徴とする請求項１２記載の光ディスク装置。
【請求項１４】
光源は、２以上の発光点を有し、一の発光点から発せられた光束が主光束として主スポットを形成し、他の発光点から発せられた光束が副光束として副スポットを形成することを特徴とする請求項１２記載の光ディスク装置。
【請求項１５】
光源は、１つの発光点のみを有し、この発光点から発せられた光束が、主光束として主スポットを形成するとともに、副スポット形成手段によって副光束となって副スポットをも形成することを特徴とする請求項１２記載の光ディスク装置。
【請求項１６】
副スポット形成手段は、光回折素子であることを特徴とする請求項１５記載の光ディスク装置。
【請求項１７】
光回折素子は、偏光ホログラム素子であることを特徴とする請求項１６記載の光ディスク装置。
【請求項１８】
光検出手段は、主光束が光記録媒体の信号記録面により反射された光束である主反射光束を受光する主受光部と、副光束が該信号記録面により反射された光束である副反射光束を受光する副受光部とを備え、
副受光部は、それぞれが独立した光検出信号を出力する複数の受光素子から構成され、これら受光素子によって、副反射光束を分割して受光し、
上記各受光素子は、加減算されることによりトラック判別信号が生成される複数の光検出信号を出力することを特徴とする請求項１２記載の光ディスク装置。
【請求項１９】
トラック判別信号と、トラッキングエラー信号とを用いて、トラッキングサーボの引き込み制御を行うことを特徴とする請求項１８記載の光ディスク装置。
【請求項２０】
トラック判別信号と、トラッキングエラー信号とを用いて、トラック横断数とトラック横断方向のカウントを行うことを特徴とする請求項１８記載の光ディスク装置。
【請求項２１】
各副受光部を構成する複数の受光素子は、それぞれ記録トラックの遠視野像に直交する方向に配列されていることを特徴とする請求項１８記載の光ディスク装置。
【請求項２２】
副スポットは、２つが形成され、
一方の副スポットを形成する一方の副光束は、主光束の集光点よりも対物レンズに近い位置に集光点を形成し、他方の副スポットを形成する他方の副光束は、主光束の集光点よりも対物レンズから遠い位置に集光点を形成することを特徴とする請求項１２記載の光ディスク装置。
【請求項２３】
光検出手段は、主光束が光記録媒体の信号記録面により反射された光束である主反射光束を受光する主受光部と、２本の副光束が該信号記録面により反射された光束である２本の副反射光束を受光する２個の副受光部とを備え、
各副受光部は、それぞれが独立した光検出信号を出力する複数の受光素子から構成され、これら受光素子によって、２本の副反射光束についてそれぞれ分割して受光し、
上記各光検出手段の各受光素子は、加減算されることによりトラック判別信号が生成される複数の光検出信号を出力することを特徴とする請求項２２記載の光ディスク装置。
【請求項２４】
各副受光部を構成する複数の受光素子は、それぞれ記録トラックの遠視野像に直交する方向に配列されていることを特徴とする請求項２３記載の光ディスク装置。
【請求項２５】
ランド部及びグループ部を有しこれらランド部及びグループ部の双方に情報信号の記録が可能な光記録媒体が着脱可能に取付けられる回転操作機構に該光記録媒体を装着して回転操作させ、
光束を出射する少なくとも１つの発光点を有する光源と該光束を光記録媒体の信号記録面上に集光させて照射する対物レンズと該光記録媒体の信号記録面からの反射光束を受光して出力信号を出力する光検出手段とを備えた光学ピックアップ装置を用いて、上記回転操作機構に装着されて回転操作される光記録媒体より情報信号を読み出し、
上記光学ピックアップ装置おいては、上記光源から出射された光束が、情報信号の記録及び／又は再生を行うための主スポットを上記光記録媒体の信号記録面上に形成する主光束と、該光記録媒体の信号記録面上において該主スポットに対して離間した位置に副スポットを形成する副光束となることとし、
上記副光束は、上記主光束に対して、対物レンズから集光点までの距離が異なるものとし、
上記副スポットは、上記信号記録面上に形成された記録トラックの法線方向の上記主スポットに対する距離の絶対値をＳ、トラックピッチをＰ、ｎを整数としたとき、
Ｓ≒Ｐｎ／２
が成立する位置に形成されることとして、
上記光検出手段からの出力信号に基づいてトラック判別信号を生成する
ことを特徴とするトラック判別信号検出方法。
【請求項２６】
副スポットは、信号記録面上に形成された記録トラックの法線方向の上記主スポットに対する距離をｓ、トラックピッチをＰとしたとき、
ｓ≒＋Ｐ／２
が成立する位置と、
ｓ≒−Ｐ／２
が成立する位置とに２つが形成されることを特徴とする請求項２５記載のトラック判別信号検出方法。
【請求項２７】
光源は、２以上の発光点を有し、一の発光点から発せられた光束が主光束として主スポットを形成し、他の発光点から発せられた光束が副光束として副スポットを形成することを特徴とする請求項２５記載のトラック判別信号検出方法。
【請求項２８】
光源は、１つの発光点のみを有し、この発光点から発せられた光束が、主光束として主スポットを形成するとともに、副スポット形成手段によって副光束となって副スポットをも形成することを特徴とする請求項２５記載のトラック判別信号検出方法。
【請求項２９】
副スポット形成手段は、光回折素子であることを特徴とする請求項２８記載のトラック判別信号検出方法。
【請求項３０】
光回折素子は、偏光ホログラム素子であることを特徴とする請求項２９記載のトラック判別信号検出方法。
【請求項３１】
光検出手段は、主光束が光記録媒体の信号記録面により反射された光束である主反射光束を受光する主受光部と、副光束が該信号記録面により反射された光束である副反射光束を受光する副受光部とを備え、
副受光部は、それぞれが独立した光検出信号を出力する複数の受光素子から構成され、これら受光素子によって、副反射光束を分割して受光し、
上記各受光素子は、加減算されることによりトラック判別信号が生成される複数の光検出信号を出力することを特徴とする請求項２５記載のトラック判別信号検出方法。
【請求項３２】
トラック判別信号と、トラッキングエラー信号とを用いて、トラッキングサーボの引き込み制御を行うことを特徴とする請求項３１記載のトラック判別信号検出方法。
【請求項３３】
トラック判別信号と、トラッキングエラー信号とを用いて、トラック横断数とトラック横断方向のカウントを行うことを特徴とする請求項３１記載のトラック判別信号検出方法。
【請求項３４】
副受光部を構成する複数の受光素子は、記録トラックの遠視野像に直交する方向に配列されていることを特徴とする請求項３１記載のトラック判別信号検出方法。
【請求項３５】
副スポットは、２つが形成され、
一方の副スポットを形成する一方の副光束は、主光束の集光点よりも対物レンズに近い位置に集光点を形成し、他方の副スポットを形成する他方の副光束は、主光束の集光点よりも対物レンズから遠い位置に集光点を形成することを特徴とする請求項２５記載のトラック判別信号検出方法。
【請求項３６】
光検出手段は、主光束が光記録媒体の信号記録面により反射された光束である主反射光束を受光する主受光部と、２本の副光束が該信号記録面により反射された光束である２本の副反射光束を受光する２個の副受光部とを備え、
各副受光部は、それぞれが独立した光検出信号を出力する複数の受光素子から構成され、これら受光素子によって、２本の副反射光束についてそれぞれ分割して受光し、
上記各光検出手段の各受光素子は、加減算されることによりトラック判別信号が生成される複数の光検出信号を出力することを特徴とする請求項３５記載のトラック判別信号検出方法。
【請求項３７】
各副受光部を構成する複数の受光素子は、それぞれ記録トラックの遠視野像に直交する方向に配列されていることを特徴とする請求項３６記載のトラック判別信号検出方法。
【発明の詳細な説明】
【０００１】
【発明の属する技術分野】
本発明は、光記録媒体に対して情報信号の書き込み及び読出しを行う光学ピックアップ装置、このような光学ピックアップ装置を備えて構成され光記録媒体に対する情報信号の記録及び再生を行う光ディスク装置、及び、このような光ディスク装置において記録トラックの位置を検出するためのトラック判別信号を検出するトラック判別信号検出方法に関する。
【０００２】
【従来の技術】
従来、いわゆる光ディスクの如き光記録媒体が提案され、このような光記録媒体を用いて情報信号の記録及び再生を行う装置として光ディスク装置が提案されている。この光ディスク装置においては、光記録媒体として、種々の方式に基づく光ディスクが用いられる。そして、このような光ディスク装置においては、光学ピックアップ装置によって、光ディスクに対する情報信号の書き込み及び読出しを行っている。
【０００３】
この光学ピックアップ装置は、半導体レーザの如き光源を有し、この光源の発する光束を、対物レンズを介して光ディスクの信号記録面上に集光させて照射するように構成されている。そして、この光学ピックアップ装置は、信号記録面上に照射した光束により該信号記録面に情報信号を書き込み、また、該信号記録面上に照射した光束の該信号記録面による反射光束を検出することにより、該信号記録面に記録された情報信号を読み取るように構成されている。
【０００４】
この光学ピックアップ装置は、光ディスクの信号記録面上に螺旋状、または、同心円状に形成されたランド部、または、グループ部に沿って、情報信号の書き込み及び読出しを行う。
【０００５】
一方、光ディスクにおいては、記録される情報信号の高密度化が進められている。例えば、再生専用のいわゆる「ＲＯＭディスク」としては、「コンパクトディスク（ＣＤ）」（商標名）と同じく直径が１２０ｍｍの光ディスクを用いながら、記録容量が「コンパクトディスク」の容量である６５０ＭＢの約７倍の４．７ＧＢに高められた「ＤＶＤ」（商標名）が提案されている。
【０００６】
高記録密度化は、情報信号の記録及び再生が行える「書換可能ディスク」においても進行しており、書換可能な「ＤＶＤ」という位置付けで、いわゆる「ＤＶＤ―ＲＡＭ」ディスクを用いる光ディスク装置が提案されている。この「ＤＶＤ−ＲＡＭ」ディスクは、記録される情報信号の高密度化を図るために、従来のランド部もしくはグループ部の一方のみに情報信号を記録する方式ではなく、ランド部及びグループ部の双方に情報信号を記録する「ランドグルーブ記録方式」を採用している。
【０００７】
【発明が解決しようとする課題】
ところで、上述のような「ＤＶＤ−ＲＡＭ」に代表されるように、「ランドグルーブ記録方式」を用いた高密度書換可能ディスクにおいては、ランド部及びグルーブ部の幅がほぼ等しく設定されていることによって、以下のような不具合を生じる。
【０００８】
すなわち、ランド部がグルーブ部よりも幅が広い光ディスクを用いてランド部のみに記録を行う「ランド記録方式」を採用した場合においては、図２８に示すように、トラッキングエラー信号（ＴＥ）と戻り光（「３スポット法」を用いる場合はメインスポット）の和信号（ＳＵＭ）とは、グループ部から次のグループ部までを一周期とした場合に（１／４）周期だけ位相がずれた関係にある。
【０００９】
したがって、トラッキングエラー信号（ＴＥ）が０となるようにトラッキング制御を行うにあたって、トラッキングエラー信号（ＴＥ）が０となる状態は光束がランド部上に照射されている場合とグルーブ部上に照射されている場合との２つの場合があるが、これら２つの場合は、和信号（ＳＵＭ）のレベルによって区別することができる。
【００１０】
このように光束がランド部上に照射されている場合とグルーブ部上に照射されている場合との２つの場合を区別するための信号は、「トラック判別信号」、または、「クロストラック信号（ＣＴＳ）」と呼ばれる。このような「トラック判別信号」としては、「ランド記録方式」を採用した場合のように、和信号（ＳＵＭ）のレベルが光束がランド部上に照射されている場合とグルーブ部上に照射されている場合とで大きく異なる場合には、図２９に示すように、該和信号の交流（ＡＣ）成分（ＡＣ−ＳＵＭ）を用いることが可能である、和信号の交流成分は、図２９に示すように、トラッキングエラー信号に対して９０度位相の異なるトラック判別信号となっている。
【００１１】
「ランド記録方式」を採用した場合においては、このようなトラッキングエラー信号と和信号の交流成分との２信号を用いることにより、高速でシーク動作をしている場合でも、記録トラックに対してスポットがどちらの方向に何トラック動いたかを正確に知ることが可能となり、安定してトラック横断数のカウントや、トラッキングサーボの引込動作を行うことができる。
【００１２】
ところが、「ランドグルーブ方式」を採用した場合においては、記録再生特性を最適にするために、通常はランド部とグルーブ部とは互いに略々同じ幅に設定されている。その結果、先の説明における和信号は、図３０に示すように、ランド部上に光束が照射されている場合とグルーブ部上に光束が照射されている場合とでほぼ等しくなってしまい、この和信号からトラック判別信号を生成することができない。
【００１３】
その結果、特に、外部記憶装置や業務用映像記録、編集装置などの用途において頻繁に行われる高速シーク動作時に、所定の記録トラックに一度でアクセスすることが困難となり、アクセス時間が長くなってしまうという問題があった。
【００１４】
そこで、本発明は、上述の実情に鑑みて提案されるものであって、部品点数を多くしたり部品の構成を複雑化することなく、例えば「ＤＶＤ−ＲＡＭ」の如き「ランドグルーブ方式」を採用した光記録媒体を用いる場合においても、トラック判別信号を生成することができる光学ピックアップ装置、トラック判別信号検出方法、及び、このような光学ピックアップ装置、トラック判別信号検出方法を採用した光ディスク装置を提供しようとするものである。
【００１５】
【課題を解決するための手段】
上述の課題を解決するため、本発明に係る光学ピックアップ装置は、光束を出射する少なくとも１つの発光点を有する光源と、ランド部及びグループ部を有しこれらランド部及びグループ部の双方に情報信号の記録が可能な光記録媒体の信号記録面上に、上記光束を集光させて照射する対物レンズと、上記光記録媒体の信号記録面からの反射光束を受光する光検出手段とを備え、上記該光源から出射された光束は、情報信号の記録及び／又は再生を行うための主スポットを光記録媒体の信号記録面上に形成する主光束と、該光記録媒体の信号記録面上において該主スポットに対して離間した位置に副スポットを形成する副光束となり、この副光束は、主光束に対して、対物レンズから集光点までの距離が異なり、副スポットは、信号記録面上に形成された記録トラックの法線方向の主スポットに対する距離の絶対値をＳ、トラックピッチをＰ、ｎを整数としたとき、Ｓ≒Ｐｎ／２が成立する位置に形成されることを特徴とする。
【００１６】
なお、本発明において、「トラックピッチ（Ｐ）」とは、「ランドグルーブ方式」を採用し光ディスク上のランド部及びグループ部の双方に情報信号を記録する場合であっても、「ランド部から次のランド部までの距離」（または、「グループ部から次のグループ部までの距離」）のことを言っている。
【００１７】
また、本発明に係る光ディスク装置は、ランド部及びグループ部を有しこれらランド部及びグループ部の双方に情報信号の記録が可能な光記録媒体が着脱可能に取付けられ装着された光記録媒体を回転操作する回転操作機構と、この回転操作機構に装着されて回転操作される光記録媒体に対して情報信号の書き込み及び読出しを行う光学ピックアップ装置と、この光学ピックアップ装置からの出力信号に基づいて再生信号を生成する信号処理回路と、光学ピックアップ装置からの出力信号に基づいて該光学ピックアップ装置の対物レンズの位置を制御するサーボ回路とを備えており、光学ピックアップ装置は、光束を出射する少なくとも１つの発光点を有する光源と、該光束を光記録媒体の信号記録面上に集光させて照射する対物レンズと、該光記録媒体の信号記録面からの反射光束を受光して出力信号を出力する光検出手段とを備えており、この光学ピックアップ装置おいて、光源から出射された光束は、情報信号の記録及び／又は再生を行うための主スポットを光記録媒体の信号記録面上に形成する主光束と該光記録媒体の信号記録面上において該主スポットに対して離間した位置に副スポットを形成する副光束となり、副光束は、主光束に対して、対物レンズから集光点までの距離が異なり、副スポットは、信号記録面上に形成された記録トラックの法線方向の主スポットに対する距離の絶対値をＳ、トラックピッチをＰ、ｎを整数としたとき、
Ｓ≒Ｐｎ／２
が成立する位置に形成されることを特徴とするものである。
【００１８】
そして、本発明に係るトラック判別信号検出方法は、ランド部及びグループ部を有しこれらランド部及びグループ部の双方に情報信号の記録が可能な光記録媒体が着脱可能に取付けられる回転操作機構に該光記録媒体を装着して回転操作させ、光束を出射する少なくとも１つの発光点を有する光源と該光束を光記録媒体の信号記録面上に集光させて照射する対物レンズと該光記録媒体の信号記録面からの反射光束を受光して出力信号を出力する光検出手段とを備えた光学ピックアップ装置を用いて回転操作機構に装着されて回転操作される光記録媒体より情報信号を読み出し、この光学ピックアップ装置おいて、光源から出射された光束が情報信号の記録及び／又は再生を行うための主スポットを光記録媒体の信号記録面上に形成する主光束と該光記録媒体の信号記録面上において該主スポットに対して離間した位置に副スポットを形成する副光束となることとし、この副光束は、主光束に対して、対物レンズから集光点までの距離が異なるものとし、副スポットは、信号記録面上に形成された記録トラックの法線方向の主スポットに対する距離の絶対値をＳ、トラックピッチをＰ、ｎを整数としたとき、
Ｓ≒Ｐｎ／２
が成立する位置に形成されることとして、光検出手段からの出力信号に基づいてトラック判別信号を生成することを特徴とするものである。
【００１９】
【発明の実施の形態】
以下、本発明の実施の形態を図面を参照しながら説明する。
【００２０】
本発明に係る光学ピックアップ装置を備えて構成された本発明に係る光ディスク装置は、光記録媒体である光ディスクとして、複数の種類の光ディスクから選定して、それぞれに対して情報信号の記録及び再生できるようになっている。そして、例えば、いわゆる「ＤＶＤ−ＲＡＭ」ディスクの如く「ランドグループ記録」を行うことができる光ディスクを用いて、「ランドグループ記録」を行うことができる。
【００２１】
この光ディスク装置は、図１に示すように、光記録媒体である光ディスク１０１を回転駆動する回転操作手段となるスピンドルモータ１を備えている。スピンドルモータ１は、駆動軸に図示しないディスクテーブルが取付けられており、このディスクテーブル上に光ディスク１０１が装着されることにより、この光ディスク１０１をディスクテーブルとともに回転操作する。スピンドルモータ１は、サーボ制御回路５及びシステムコントローラ７によって制御され、所定の回転数で駆動する。
【００２２】
光学ピックアップ装置２は、スピンドルモータ１によって回転操作される光ディスク１０１に対し、情報信号の書き込み及び読出しを行う。この光学ピックアップ装置１は、送りモータ３によって、ディスクテーブル上に装着された光ディスク１０１の径方向に移動操作される。これら光学ピックアップ装置１及び送りモータ３も、サーボ制御回路５によって制御されて駆動する。
【００２３】
光学ピックアップ装置２は、光ディスク１０１の信号記録面に光束を照射し、この光束の反射光束を検出することにより、該信号記録面より情報信号を読み出す。光学ピックアップ装置２により光ディスク１０１より読み出された信号は、プリアンプ４により増幅されて、信号変復調及びＥＣＣブロック６及びサーボ制御回路５に送られる。信号変復調及びＥＣＣブロック６は、再生する光記録媒体の種類に応じて、信号の変調、復調及びＥＣＣ（エラー訂正符号）の付加を行う。また、信号変復調及びＥＣＣブロック６は、送られた信号に基づき、フォーカスエラー信号、トラッキングエラー信号、トラック判別信号、ＲＦ信号等を生成する。サーボ制御回路５は、信号変復調及びＥＣＣブロック６にて生成されるフォーカスエラー信号、トラッキングエラー信号、トラック判別信号に基づいて、光学ピックアップ装置２を制御する。
【００２４】
信号変復調及びＥＣＣブロック６において復調された信号は、この信号が例えばコンピュータのデータストレージ用のデータであれば、インターフェイス８を介して、外部コンピュータ９等に送出される。この場合、外部コンピュータ９等は、光ディスク１０１に記録された信号を、再生信号として受け取ることができる。
【００２５】
また、光学ピックアップ装置２は、信号変復調及びＥＣＣブロック６から送られる信号に基づいて、回転操作される光ディスク１０１の信号記録面に対して、光束の照射を行う。このような光束の照射により、光ディスク１０１の信号記録面に対する情報信号の書き込みが行われる。
【００２６】
光学ピックアップ装置２は、図２に示すように、光軸回りに回転可能に配設された光源部１０を備えて構成されている。この光源部１０は、光束を出射する少なくとも１つの発光点を有しており、この実施の形態においては、図３に示すように、３つの発光点１０ａ，１０ｂ，１０ｃを有している。
【００２７】
この光学ピックアップ装置２を用いて「ランドグルーブ記録」が行われた光記録媒体から情報信号を読み出す場合には、この光源部１０の各発光点１０ａ，１０ｂ，１０ｃから射出された各光束は、偏光ビームスプリッタプリズム１１に入射され、この偏光ビームスプリッタプリズム１１が有する誘電体多層膜に対してＳ偏光状態であることにより該誘電体多層膜によって略々全光量が反射されて、１／４波長板１２に入射する。１／４波長板１２に入射された光束は、この１／４波長板１２を透過することにより円偏光状態となされ、コリメータレンズ１３を透過して平行光束となされて、対物レンズ１４に入射する。
【００２８】
なお、偏光ビームスプリッタプリズム１１は、―般に、互いに貼り合わせられて立方体を形成する一対の三角プリズムと、これらの三角プリズムの間に蒸着やスパッタリングによって形成された誘電体多層膜とによって構成されている。この偏光ビームスプリッタプリズム１１に対する入射光束は、誘電体多層膜に対するＰ偏光成分が該誘電体多層膜を透過し、該誘電体多層膜に対するＳ偏光成分が該誘電体多層膜によって反射される。
【００２９】
対物レンズ１４は、図示しない二軸アクチュエータによって、図２中矢印Ｆで示すフオーカス方向及び図２中矢印Ｔで示すトラッキング方向に移動操作可能に支持されており、入射された各光束を光ディスク１０１の信号記録面上に集光させる。
【００３０】
なお、このとき、３つの発光点１０ａ，１０ｂ，１０ｃから射出された光束のうちの１本が信号記録面上に集光され、他の２本は、信号記録面に対してデフォーカスした状態となる。
【００３１】
光ディスク１０１の信号記録面上に照射されて該信号記録面により反射された３本の反射光束は、対物レンズ１４、コリメータレンズ１３及び１／４波長板１２を経て、直線偏光状態となって偏光ビームスプリッタプリズム１１に至る。この偏光ビームスプリッタプリズム１１において、反射光束は、誘電体多層膜に対してＰ偏光状態となっていることにより略々全光量が該誘電体多層膜を透過し、光源部１０に戻る光路より分離されて、マルチレンズ１５を経て光検出素子１６に入射する光路を進行する。マルチレンズ１５は、凹面とシリンドリカル面とが組み合わされたレンズであって、反射光束の集光点までの距離を延長するとともに、該反射光束に非点収差を生じさせる。
【００３２】
なお、光学ピックアップ装置２を構成する各光学部品は、図示しない光学ブロック部内に個別にマウントされて支持されている。
【００３３】
光源部１０は、図３に示すように、情報信号の記録再生を行うための主スポットを光ディスク１０１の信号記録面上に形成する主光束を発する主発光点１０ａと、主スポットが光ディスク１０１の信号記録面上に合焦しているときに該信号記録面より手前で合焦して第１の副スポットを形成する第１の副光束を発する第１の副発光点１０ｂと、主スポットが光ディスク１０１の信号記録面上に合焦しているときに該信号記録面より奥で合焦して第２の副スポットを形成する第２の副光束を発する第２の副発光点１０ｃとを有して構成されている。すなわち、各副光束は、主光束に対して、対物レンズから集光点までの距離が異なることとなっている。また、主スポットと各副スポットとは、光ディスク１０１の信号記録面上において、互いに離間した位置に形成される。これら主発光点１０ａ及び各副発光点１０ｂ，１０ｃは、保持台部１０ｄにより支持されて、パッケージ１０ｅ内に収納されている。
【００３４】
光源部１０は、パッケージ１０ｅの全体が光軸回りに回転操作されることにより、主スポットの合焦位置を変動させることなく、各副スポットと光ディスクの信号記録面上の記録トラックとの位置関係を変化させることが可能となっている。そして、各副スポットは、光ディスクの信号記録面上に形成された記録トラックの法線方向の主スポットに対する距離の絶対値をＳ、トラックピッチをＰ、ｎを整数としたとき、
Ｓ≒Ｐｎ／２
が成立する位置に形成される。
【００３５】
なお、本発明において、「トラックピッチ（Ｐ）」とは、「ランドグルーブ方式」を採用し光ディスク上のランド部及びグループ部の双方に情報信号を記録する場合であっても、「ランド部から次のランド部までの距離」（または、「グループ部から次のグループ部までの距離」）のことを言っている。
【００３６】
また、光源部１０は、図４に示すように、１つの発光点１０ａと、光回折素子１７とを有するものとして構成してもよい。光回折素子１７は、図５に示すように、パワーを持ったホログラムパターン（ホログラム素子）として構成されている。発光点１０ａより発せられ光回折素子１７によって回折された光束は、０次光及び±１次光に分離される。０次光は、発光点１０ａから発せられてそのまま進行する主光束に等しい。＋１次光は、発光点１０ａではなく、この発光点１０ａからずれた第１の仮想発光点１０ｆから発せられた第１の副光束に等しい。また、−１次光も、発光点１０ａではなく、この発光点１０ａからずれた第２の仮想発光点１０ｇから発せられた第２の副光束に等しい。各副光束は、主光束に対して、対物レンズから集光点までの距離が異なることとなっている。また、主光束が形成する主スポットと各副光束が形成する各副スポットとは、光ディスク１０１の信号記録面上において、互いに離間した位置に形成される。
【００３７】
この光源部１０においては、光回折素子１７が光軸回りに回転操作されることにより、主スポットの合焦位置を変動させることなく、各副スポットと光ディスクの信号記録面上の記録トラックとの位置関係を変化させることが可能となっている。そして、各副スポットは、光ディスクの信号記録面上に形成された記録トラックの法線方向の主スポットに対する距離の絶対値をＳ、トラックピッチをＰ、ｎを整数としたとき、
Ｓ≒Ｐｎ／２
が成立する位置に形成される。
【００３８】
なお、光回折素子１７は、偏光ホログラム素子により構成することもできる。この場合には、光回折素子１７は、上述のように光源部１０と偏光ビームスプリッタプリズム１１との間ではなく、図６に示すように、偏光ビームスプリッタプリズム１１と１／４波長板１２との間に設けることとしてもよい。偏光ホログラム素子は、光ディスクに向かう往路の光束に対してホログラムとして作用するが、光ディスクから戻る復路の光束に対しては、なんらの光学的作用を生じないように形成することが可能だからである。
【００３９】
光検出素子９は、図７に示すように、主スポットからの主反射光束を受光する主受光部１８、第１の副スポットからの主反射光束を受光するかを受光する第１の副受光部１９及び第２の副スポットからの主反射光束を受光するかを受光する第２の副受光部２０を有して構成されている。
【００４０】
主受光部１８は、いわゆる「非点収差法」によるフォーカスエラー信号の検出を行うため、中心点を介して放射状に配列された状態の４個の受光素子ａ，ｂ，ｃ，ｄからなる。この主受光部１８において、受光素子ａ，ｃ及び受光素子ｂ，ｄは、互いに主受光部１８の中心部を介して対角で対向する位置となっている。これら４面の受光素子ａ，ｂ，ｃ，ｄからは、それぞれ独立的な光検出信号ａ，ｂ，ｃ，ｄが出力される。
【００４１】
また、各副受光部１９，２０は、それぞれ平行に配列された３個の受光素子ｅ，ｉ，ｆ、ｈ，ｊ，ｇからなる。各副受光部１９，２０において、受光素子ｉ，ｊは、それぞれ、受光素子ｅ，ｆ及び受光素子ｈ，ｇに挟まれた状態となっている。これら計６面の受光素子ｅ，ｉ，ｆ、ｈ，ｊ，ｇからは、それぞれ独立的な光検出信号ｅ，ｉ，ｆ、ｈ，ｊ，ｇが出力される。
【００４２】
この光検出素子１６から出力される光検出信号は、例えば該光検出素子１６の半導体基板上に形成された図示しないアンプにより電流−電圧変換された後、演算回路、もしくは、各受光部１８，１９，２０に接続された光検出素子外部の演算回路に送られる。この演算回路においては、以下のようにして、フォーカスエラー信号ＦＥ、トラッキングエラー信号ＴＥ、トラック判別信号ＣＴＳ及びＲＦ信号が演算される。
【００４３】
すなわち、トラック判別信号ＣＴＳは、以下の演算により生成される。
【００４４】
ＣＴＳ＝｛（ｅ＋ｆ）−ｉ｝−｛（ｇ＋ｈ）−ｊ｝
また、フォーカスエラー信号ＦＥ、トラッキングエラー信号ＴＥ及びＲＦ信号は、それぞれ以下の演算によって生成される。フォーカスエラー信号ＦＥは、いわゆる「非点収差法」による生成であり、トラッキングエラー信号ＴＥは、いわゆる「差動プッシュプル法」による生成である。
【００４５】
ＦＥ＝（ａ＋ｃ）−（ｂ＋ｄ）
ＴＥ＝｛（ａ＋ｄ）−（ｂ＋ｃ）｝−Ｋ・｛（ｅ−ｆ）＋（ｇ−ｈ））
（∵Ｋは係数）
ＲＦ＝ａ＋ｂ＋ｃ＋ｄ
次に、本発明に係るトラック判別信号検出方法における信号検出の原理について説明する。
【００４６】
本発明においては、主スポットに対して、合焦位置の異なる副スポットを形成することにより、該主スポットが合焦して情報信号の記録再生を行える状態にあるときに、該副スポットが非合焦状態にあるようにしている。
【００４７】
この状態で、光ディスク上の光スポットが記録トラックを横断すると、主スポットでは、合焦状態であるために、ランド部及びグループ部における反射光束の強度分布が等しいのに対して、副スポットでは、非合焦状態（デフォーカス）であるために、波面の干渉状態の変化によって、ランド部及びグループ部で反射光束における強度分布に大きな差異が生じる。このような、副スポットからの反射光束における強度分布の変化を用いて、トラック判別を行うことができる。
【００４８】
例えば、光ディスクとして「ＤＶＤ」（商標名）を用いる光学ピックアップ装置において、記録容量が４．７ＧＢの「ＤＶＤ−ＲＡＭ」を再生する場合の、光ディスクにおける回折光の対物レンズ瞳上における強度分布及び位相分布を計算した結果を図８乃至図１３に示す。
【００４９】
ここに示した計算結果の計算条件としては、光学ピックアップ装置が照射する光束の波長を６６０ｎｍとし、対物レンズの開口数（ＮＡ）を０．６０とし、タンジェンシャル方向のＲｉｍ強度を０．５５とし、ラジアル方向のＲｉｍ強度を０．４５とした。光ディスク上の記録トラックの周期は、１．２３μｍとし、グループ部の往復位相深さを（λ／６）とした。また、ランド部及びグループ部は、ともに等幅（０．６１５μｍ）の矩形とした。
【００５０】
この図８乃至図１３は、光スポットがグループ部上にある場合（図８、図１０、図１２）及びランド部上にある場合（図９、図１１、図１３）について、それぞれ、合焦（デフオーカスがない）状態（図１０、図１１）、（光ディスク上で）−０．５μｍの非合焦（デフォーカスしている）状態（図８、図９）、（光ディスク上で）＋０．５μｍの非合焦（デフォーカスしている）状態（図１２、図１３）について、反射光束における強度分布を示している。
【００５１】
なお、「ランドグルーブ記録方式」においては、ランド部及びグループ部の双方に情報信号を記録するため、通常の「ランド部からランド部」、または、「グルーブ部からグルーブ部」に相当する距離をトラック周期として考えると、スポット径に対するトラック周期が大きいため、光ディスクにおける回折光の対物レンズ瞳上における重なり方が「ランド記録方式」及び「グループ記録方式」とは大きく異なってくる。
【００５２】
すなわち、図１４に示すように、従来の「ランド記録方式」を用いた光ディスクの再生では、図１５に示すように、瞳の中心部分において０次光と±１次光の全てが重なることは通常ないのに対して、図１６に示すように、「ランドグループ記録方式」を用いた場合には、図１７に示すように、瞳の中心部分において０次光と±１次光とが互いに重なってしまうようなトラック周期となる場合が多い。図８、図１０、図１１及び図１３において、反射光束の中央部分で強度が突出している部分は、そのような重なりが生じている領域である。
【００５３】
図１０及び図１１から明らかなように、合焦（デフォーカスのない）状態では、光スポットがランド部上にあるかグルーブ部上にあるかによって、反射光束内における強度分布が変わらない。これが、前述したように、「ランドグルーブ記録方式」を採用した場合において、和信号をトラック判別信号として用いることができない原因である。これに対して、非合焦（デフォーカスした）状態では、図８と図９、及び、図１２と図１３に示すように、光スポットがランド部上にあるときとグループ部上にあるときとで、反射光束内の強度分布に差異が生じており、しかも、デフォーカスの方向によって、強度分布の変化の極性が逆になっている。
【００５４】
強度分布の変化を模式的に表すと、図１８に示すように、中央部の強度が大きくなる場合と、図１９に示すように、周辺部の強度が大きくなる場合との間で変化すると解釈することができる。このような強度分布の変化を信号として検出するためには、例えば、図２０に示すように、３面の受光素子ｘ，ｙ，ｚを平行に配列させ、光スポットを３分割して受光するような受光部を用いて、これら受光素子ｘ，ｙ，ｚからの光検出出力をｘ，ｙ，ｚとしたとき、以下の演算を行えばよい。
【００５５】
（ｙ）または、（ｘ＋ｚ）または、（ｘ＋ｚ）−ｙ
ところで、フォーカスエラー信号を「非点収差法」で検出する場合においては、反射光束は、図２１に示すように、マルチレンズ１５によって、記録トラックによる回折パターンの方向に対して４５度をなす方向に非点収差を生じさせられている。光検出素子１６の受光部を、図２１に示すように、非点収差が生じていることにより形成される２つの焦線の略中間位置に配置することにより、主光束の光ディスク上での合焦時には、反射光束の受光素子上のスポットは略々円形になり、フォーカス引込範囲の両端側では、焦線となることによって、Ｓ字型をしたフォーカスエラー曲線が得られる。
【００５６】
主光束の光ディスク上における合焦時における、対物レンズの瞳上における反射光束の回折パターンと、受光部上における回折パターンを考えると、受光部上には、図２２に示すように、マルチレンズのシリンドリカル面の母線に平行な方向と直交する方向のうち、受光部に到達する前に合焦する方向については、パターンが反転した状態でスポットが形成される。
【００５７】
したがって、図７及び図２２に示すように、受光部を複数の受光素子から構成し、非合焦（デフオーカスしている）状態の副スポットからの反射光束を、中央部分と周縁側部分とに分割して受光すれば、この受光によって得られる光検出出力に基づく上述した演算によって、トラック判別信号を得ることができる。
【００５８】
ここで、主スポットと副スポットとの光ディスク上における位置関係は、主スポットがグルーブ部上にあるときには、副スポットはランド部上にあるように設定されていることが望ましい。または、トラッキングエラー信号を求める演算が上述したものと異なる場合には、主スポットがグルーブ部上にあるときに、副スポットもグループ部上にあるように設定されていてもよい。この場合には、トラック判別信号の極性が反転する。
【００５９】
主スポットと副スポットとが光ディスク上においてこのような位置関係をとるためには、上述したように、光ディスクの信号記録面上に形成された記録トラックの法線方向の主スポットに対する距離をＳ、記録トラックのトラックピッチをＰ、ｎを整数としたときに、以下の式が成立している必要がある。
【００６０】
Ｓ≒Ｐｎ／２
特に、各副スポットは、以下の式が成立する２つの位置に形成されていることが望ましい。
【００６１】
Ｓ≒＋Ｐ／２
Ｓ≒−Ｐ／２
しかし、各副スポットは、主スポットに対して対称な位置に形成される必要はない。
【００６２】
Ｓ≒＋ｎＰ／２
Ｓ≒−ｍＰ／２
（∵ｎ＞ｍ、ｎ＜ｍ、または、ｎ＝ｍ）
トラック判別信号（ＣＴＳ信号）は、図２４に示すように、トラッキングエラー信号ＴＥに対して、グループ部から次のグループ部までを一周期とした場合に（１／４）周期だけ位相がずれた関係にある。トラック判別信号が極小となる図２４中の（Ａ），（Ｃ）で示す状態においては、図２５及び図２７に示すように、一方の副スポットからの反射光束において中央部分の光強度が強く、他方の副スポットからの反射光束において周縁部分の光強度が強くなっている。逆に、トラック判別信号が極大となる図２４中の（Ｂ）で示す状態においては、図２６に示すように、一方の副スポットからの反射光束において周縁部分の光強度が強く、他方の副スポットからの反射光束において中央部分の光強度が強くなっている。
【００６３】
このようなトラック判別信号（ＣＴＳ信号）は、以下のような演算によって求めることができる。例えば、複数の発光点を有する光源を用いる場合に、必要な発光点の数を減らすために、片側の副スポットだけを用いて、以下のいずれかの演算によって求めることができる。
【００６４】
ＣＴＳ＝（−ｉ）
ＣＴＳ＝（ｅ＋ｆ）
ＣＴＳ＝（ｅ＋ｆ）−ｉ
しかし、これらの演算では、トラック判別信号に直流的なオフセツト（ＤＣオフセット）が生じてしまったり、僅かなデフォーカスでランド部及びグループ部による強度変化のコントラストが低下してしまい、トラック判別信号の振幅が小さくなってしまう。そのため、第１及び第２の副スポットの両方を用いて、以下のいずれかの演算によって、安定したトラック判別信号求めることができる。
【００６５】
ＣＴＳ＝（−ｉ）−（−ｊ）
ＣＴＳ＝（ｅ＋ｆ）−（ｇ＋ｈ）
ＣＴＳ＝｛（ｅ＋ｆ）−ｉ｝−ｋ・｛（ｇ＋ｈ）−ｊ｝
なお、上式中のｋは、グループの深さによる影響や、ホログラムパターンにより形成される仮想発光点の僅かな位置ズレや光量差による影響を回避するためのものである。
【００６６】
なお、主受光部１８を構成する複数の受光素子は、図２３に示すように、主スポットからの反射光束の中央部分のみを受光する受光素子を他の４個の受光素子とは別に設けることとしてもよい。このようにしておくと、±１次光が重なって光強度が強くなった状態で、スポットの移動が生じたときにも、このスポット移動によるフォーカスエラー信号の変動を回避することができる。
【００６７】
このようにして、トラック判別信号を生成することによって、ランド部の幅とグルーブ部の幅が略々等しい光ディスクを用いて「ランドグループ記録方式」を実行する場合においても、従来から「ランド記録方式」または「グループ記録方式」において使用されてきた種々のトラッキング制御方法が使用可能となる。
【００６８】
すなわち、上述のようにして得られたトラック判別信号を従来のトラッキング制御における「ＣＰＩ信号」として使用することにより、トラッキングサーボ引込、トラック横断の数及び方向のカウント（トラバースカウント）が実現される。「ＣＰＩ信号」はトラッキングエラー信号に対して１／４トラック周期の位相差を有する信号であり、従来より「ランド記録方式」または「グループ記録方式」において、トラッキングサーボ引込やトラック横断のカウントのために使用されている。
【００６９】
上述のように、本発明に係る光学ピックアップ装置、光ディスク装置及びトラック判別信号検出方法においては、「ランドグルーブ記録媒体」を用いて「ランドグループ記録」を行う場合においても、簡単な構成により、良好なトラック判別信号を得ることができる。
【００７０】
なお、以上の説明においては、光学部品及び光学素子を個別に配置した場合について述べたが、本発明に係る光学ピックアップ装置及び光ディスク装置はこれに限られず、各光学部品及び光学素子を集積して構成することもできる。また、以上の説明においては、フォーカスエラー信号の検出を「非点収差法」を用いて行う場合について述べたが、本発明はこれに限られず、いわゆる「スポットサイズ法」や「ナイフエッジ法」等を用いる場合においても、有効である。
【００７１】
０次光と±１次光とが全て重なるようなトラック周期の場合は、デフォーカスしたスポットにおける強度分布が大きく、より大きな振幅のトラック判別信号が得られるが、これに限定されず、０次光と±１次光とが全て重なることがない場合でも同様の演算により、トラック判別信号を得ることが可能である。
【００７２】
【発明の効果】
上述のように、本発明に係る光学ピックアップ装置、光ディスク装置及びトラック判別信号検出方法においては、「ランドグルーブ記録媒体」を用いて「ランドグループ記録」を行う場合においても、簡単な構成により、良好なトラック判別信号を得ることができる。
【００７３】
このため、トラッキングサーボの引込や、シーク時の記録トラック横断の数及び方向のカウントなど、従来より使用されていた制御方法を「ランドグルーブ記録」において使用することを可能とする。
【００７４】
したがって、本発明は、部品点数が少なく部品の構成も簡単で、低コストな、例えば「ＤＶＤ−ＲＡＭ」などを用いて「ランドグループ記録」を行う光学ピックアップ装置及び光ディスク装置を提供することができる。
【００７５】
また、「ＤＶＤ−ＲＡＭ」に限らず、「ランドグルーブ記録」を用いる他の規格の光ディスクに対して一般的に適用することができ、部品点数も少なく部品の構成も簡単な光学ピックアップ装置及び光ディスク装置を提供することができるものである。
【図面の簡単な説明】
【図１】本発明に係る光ディスク装置の構成を示すブロック図である。
【図２】本発明に係る光学ピックアップ装置の構成を示す側面図である。
【図３】上記光学ピックアップ装置の光源部の構成を示す側面図である。
【図４】上記光学ピックアップ装置の光源部の構成の他の形態を示す側面図である。
【図５】上記光源部を構成する光回折素子を示す正面図である。
【図６】本発明に係る光学ピックアップ装置の構成の他の形態を示す側面図である。
【図７】本発明に係る光学ピックアップ装置の光検出素子の受光部の構成を示す正面図である。
【図８】光ディスクとして「ＤＶＤ」を用いる光学ピックアップ装置により「ＤＶＤ―ＲＡＭ」を再生したときに光スポットがグループ部上にあり光ディスク上で−０．５μｍのデフォーカスがある場合の光ディスクによる回折光の対物レンズ瞳上における強度分布の計算結果を示すグラフである。
【図９】光ディスクとして「ＤＶＤ」を用いる光学ピックアップ装置により「ＤＶＤ―ＲＡＭ」を再生したときに光スポットがランド部上にあり光ディスク上で−０．５μｍのデフォーカスがある場合の光ディスクによる回折光の対物レンズ瞳上における強度分布の計算結果を示すグラフである。
【図１０】光ディスクとして「ＤＶＤ」を用いる光学ピックアップ装置により「ＤＶＤ―ＲＡＭ」を再生したときに光スポットがグループ部上にあり光ディスク上でデフォーカスがない場合の光ディスクによる回折光の対物レンズ瞳上における強度分布の計算結果を示すグラフである。
【図１１】光ディスクとして「ＤＶＤ」を用いる光学ピックアップ装置により「ＤＶＤ―ＲＡＭ」を再生したときに光スポットがランド部上にあり光ディスク上でデフォーカスがない場合の光ディスクによる回折光の対物レンズ瞳上における強度分布の計算結果を示すグラフである。
【図１２】光ディスクとして「ＤＶＤ」を用いる光学ピックアップ装置により「ＤＶＤ―ＲＡＭ」を再生したときに光スポットがグループ部上にあり光ディスク上で＋０．５μｍのデフォーカスがある場合の光ディスクによる回折光の対物レンズ瞳上における強度分布の計算結果を示すグラフである。
【図１３】光ディスクとして「ＤＶＤ」を用いる光学ピックアップ装置により「ＤＶＤ―ＲＡＭ」を再生したときに光スポットがランド部上にあり光ディスク上で＋０．５μｍのデフォーカスがある場合の光ディスクによる回折光の対物レンズ瞳上における強度分布の計算結果を示すグラフである。
【図１４】従来の「ランド記録」における光ディスクによる回折光の状態を示す側面図である。
【図１５】従来の「ランド記録」における光ディスクによる回折光が光学ピックアップ装置に戻ったときの状態を示す正面図である。
【図１６】本発明に係る光ディスク装置において行う「ランドグループ記録」における光ディスクによる回折光の状態を示す側面図である。
【図１７】本発明に係る光ディスク装置において行う「ランドグループ記録」における光ディスクによる回折光が光学ピックアップ装置に戻ったときの状態を示す正面図である。
【図１８】本発明に係る光学ピックアップ装置において「ランドグルーブ記録媒体」上で一方向にデフォーカスしている光スポットからの反射光束の強度分布を模式的に示す正面図である。
【図１９】本発明に係る光学ピックアップ装置において「ランドグルーブ記録媒体」上で他方向にデフォーカスしている光スポットからの反射光束の強度分布を模式的に示す正面図である。
【図２０】本発明に係る光学ピックアップ装置において「ランドグルーブ記録媒体」上でデフォーカスしている光スポットからの反射光束を受光する受光部の構成を示す正面図である。
【図２１】「非点収差法」における光束の断面形状の変化を示す斜視図である。
【図２２】本発明に係る光学ピックアップ装置の光検出素子上における光スポットの状態を示す正面図である。
【図２３】本発明に係る光学ピックアップ装置の光検出素子の構成の他の形態を示す正面図である。
【図２４】本発明に係るトラック判別信号検出方法によって検出されるトラック判別信号を示すグラフである。
【図２５】上記トラック判別信号が極小値をとるときの光検出素子上のスポットの状態を示す正面図である。
【図２６】上記トラック判別信号が極大値をとるときの光検出素子上のスポットの状態を示す正面図である。
【図２７】上記トラック判別信号が再び極小値をとるときの光検出素子上のスポットの状態を示す正面図である。
【図２８】従来の「ランド記録方式」におけるトラッキングエラー信号と和信号との関係を示すグラフである。
【図２９】従来の「ランド記録方式」におけるトラッキングエラー信号及びトラック判別信号を示すグラフである。
【図３０】従来の「ランドグループ記録方式」における和信号を示すグラフである。
【符号の説明】
１  スピンドルモータ、２  光学ピックアップ装置、７  システムコントローラ、１０  光源部、１０ａ  主発光点、１０ｂ，１０ｃ  副発光点、１０ｆ，１０ｇ  仮想発光点、１１、偏光ビームスプリッタプリズム、１４  対物レンズ、１６  光検出素子、１７  光回折素子、１８  主受光部、１９，２０  副受光部
【図１】
0003988343.tif 000002
【図２】
0003988343.tif 000003
【図３】
0003988343.tif 000004
【図４】
0003988343.tif 000005
【図５】
0003988343.tif 000006
【図６】
0003988343.tif 000007
【図７】
0003988343.tif 000008
【図８】
0003988343.tif 000009
【図９】
0003988343.tif 000010
【図１０】
0003988343.tif 000011
【図１１】
0003988343.tif 000012
【図１２】
0003988343.tif 000013
【図１３】
0003988343.tif 000014
【図１４】
0003988343.tif 000015
【図１５】
0003988343.tif 000016
【図１６】
0003988343.tif 000017
【図１７】
0003988343.tif 000018
【図１８】
0003988343.tif 000019
【図１９】
0003988343.tif 000020
【図２０】
0003988343.tif 000021
【図２１】
0003988343.tif 000022
【図２２】
0003988343.tif 000023
【図２３】
0003988343.tif 000024
【図２４】
0003988343.tif 000025
【図２５】
0003988343.tif 000026
【図２６】
0003988343.tif 000027
【図２７】
0003988343.tif 000028
【図２８】
0003988343.tif 000029
【図２９】
0003988343.tif 000030
【図３０】
0003988343.tif 000031